(57)【要約】【課題】（１）人が防球ネット裾の余剰部に乗っても滑って転倒しにくく、（２）施設の一角に置かれた防球ネットを使用者が踏んだり乗ったりしても滑って転倒しにくく、（３）防球ネットの端部に向けて勢いよく転がったり飛来したりするボールが隣接エリアに移動する可能性を極力低下させること、の少なくとも１つを実現する。【解決手段】屋内で使用される吊り下げ式の防球ネットであって、その網糸がゴム材２１にて被覆されており、且つ、その網糸の繊維の内部に当該ゴム材が絡みつくように入り込んでいることを特徴とする防球ネット。【選択図】図２
2014068973.tif 000002
【特許請求の範囲】
【請求項１】
屋内で使用される吊り下げ式の防球ネットであって、
その網糸の少なくとも一部は、その表面がゴム材にて被覆され、且つ、当該ゴム材と一体化したゴム材が前記網糸の隙間に絡みつくように入り込んでいることを特徴とする防球ネット。
【請求項２】
屋内に設置されたときに略垂直に床面まで垂れ下がるように延びる垂下部と、
前記垂下部の下端から更に延びる余剰部と、
により構成され、
前記余剰部の網糸は、その表面がゴム材にて被覆され、且つ、当該ゴム材と一体化したゴム材が前記網糸の隙間に絡みつくように入り込んでおり、
前記垂下部の網糸は、その表面が前記ゴム材にて被覆されず、且つ、内部にも前記ゴム材が入り込んでいないことを特徴とする請求項１に記載の防球ネット。
【請求項３】
屋内に設置されたときに略垂直に床面まで垂れ下がるように延びる垂下部と、
前記垂下部の下端から更に延びる余剰部と、
により構成され、
前記余剰部の網糸、及び、前記余剰部との境界から所定範囲の前記垂下部の網糸は、その表面がゴム材にて被覆され、且つ、当該ゴム材と一体化したゴム材が前記網糸の隙間に絡みつくように入り込んでおり、
その他の部位の前記垂下部の網糸は、その表面が前記ゴム材にて被覆されず、且つ、内部にも前記ゴム材が入り込んでいないことを特徴とする請求項１に記載の防球ネット。
【請求項４】
前記網糸は、ポリエステル製の繊維にて形成されていることを特徴とする請求項１〜
請求項３の何れか１項に記載の防球ネット。
【請求項５】
前記網糸は、繊維が１０００本／ｍｍ２以上の密度であることを特徴とする請求項１〜請求項４の何れか１項に記載の防球ネット。
【請求項６】
前記網糸は、当該網糸に垂直方向に加圧すると、その断面の縦が横よりも３０％以上長い形状に弾性的に変形可能であることを特徴とする請求項１〜請求項５の何れか１項に記載の防球ネット。
【請求項７】
前記網糸は、前記ゴム材の弾性変形速度以上に高速に屈曲変形可能であることを特徴とすることを特徴とする請求項１〜請求項６の何れか１項に記載の防球ネット。
【請求項８】
前記網糸は、１０００デニール／１８本／４０ｍｍよりも細いポリエステル製の繊維で形成されていることを特徴とする請求項１〜請求項７の何れか１項に記載の防球ネット。
【請求項９】
無結節ネットであることを特徴とする請求項１〜請求項８の何れか１項に記載の防球ネット。
【請求項１０】
屋内で使用される吊り下げ式の防球ネットの製造方法であって、
その網糸に液体ゴムを含浸・被覆させる工程と、
前記液体ゴムを含浸された網糸を乾燥させる工程と、
を含んで構成されることを特徴とする製造方法。
【請求項１１】
屋内で使用される吊り下げ式の防球ネットの製造方法であって、
屋内に既設の前記防球ネットの下部を部分的に切り取る工程と、
液体ゴムを含浸・被覆させた網糸で形成されたネットを前記防球ネットの下部に継ぎ足す工程と、
を含んで構成されることを特徴とする製造方法。
【発明の詳細な説明】
【技術分野】
【０００１】
本発明は、防球ネット、及び防球ネットの製造方法に関し、特に、屋内で使用される吊り下げ式の防球ネット、及び防球ネットの製造方法に関する。
【背景技術】
【０００２】
従来、体育館等のように屋内で球技が行われる屋内スポーツ施設には、ボールが場外に飛び出さないように防球ネットが張られている。防球ネットは、球技の種類に合わせて適宜の網目、編み方、網糸の太さや種類のネットが選択され、体育館の天井近くに略水平に張設されたワイヤ等から吊り下げて用いられる。これにより、屋内スポーツ施設内が防球ネットで複数エリアに区画され、これらエリアの間での球の移動を規制することができる。従って、使用者が、隣接するエリアから不意に飛来してくる球にぶつかったり、不意に転がってくる球で転倒して怪我をしたりたりすることを防止できる。
【発明の概要】
【発明が解決しようとする課題】
【０００３】
上述した従来の防球ネットは、吊り下げ基端から床面までの距離ｄ１に比べて、吊り下げ基端からネットの下端までの長さｄ２の方を長くすることが一般的である（ｄ１＜ｄ２）。すなわち、長さｄ２を距離ｄ１よりも長くすることにより、防球ネットは、床面上に堆積もしくは這う様に延びる部位（以下、余剰部と記載する。）が設けられる。これにより、床面付近を隣接エリア方向に転がるボールが、防球ネットの下をくぐって隣接するエリアに移動することを防止できる。
【０００４】
ただし、余剰部を屋内スポーツ施設の使用者が踏む可能性が出てくる。ここで、従来使用されてきた防球ネットの素材は、ポリエチレンやポリエステル等のように床面との間の摩擦係数が、床面や防球ネットと使用者のシューズ底面との間の摩擦係数に比べて摩擦係数が小さい素材がほとんどであり、使用者が余剰部を踏みつけると、摩擦が急激に小さくなることにより滑って転倒するおそれがあった。
【０００５】
また、使用しない防球ネットは、まとめて屋内スポーツ施設の一角に置かれることがある。この防球ネットの一部を使用者が踏んだり、上に使用者が乗ったりする可能性があり、このような場合も、同様に、使用者が滑って転倒するおそれがあった。
【０００６】
また、ボールが床面近くを勢いよくネット方向に飛んだり転がったりすると、余剰部の下をくぐり抜けてボールが隣接エリアに入り込む可能性がゼロではなかった。また、ワイヤ等に対して固定されていない防球ネットの左右縁部の近くにボールがぶつかると、防球ネットがボールを捕球できずに、隣接エリアにボールが入り込む可能性がゼロではなかった。
【０００７】
本発明は、以上の課題に鑑みてなされたもので、（１）人が防球ネット裾の余剰部に乗っても滑って転倒しにくく、（２）施設の一角に置かれた防球ネットを使用者が踏んだり乗ったりしても滑って転倒しにくく、（３）防球ネットの縁部に向けて勢いよく転がったり飛来したりするボールが隣接エリアに移動する可能性を極力低下させること、の少なくとも１つを実現することを目的とする。
【課題を解決するための手段】
【０００８】
本発明の態様の１つは、屋内で使用される吊り下げ式の防球ネットであって、その網糸の少なくとも一部は、その表面がゴム材にて被覆され、且つ、当該ゴム材と一体化したゴム材が前記網糸の隙間に絡みつくように入り込んでいることを特徴とする構成としてある。
【０００９】
当該構成においては、網糸の表面を被覆するゴム材と一体化したゴム材が、防球ネットの網糸の隙間に絡みつくように入り込んでいるため、網糸の表面を被覆するゴム材が、網糸とゴム材とが強固に膠着されることとなり、防球ネットを踏みつけたりこすったりしても、網糸の表面を被覆するゴム材が網糸から容易に剥がれ落ちることがない。従って、（１）人が防球ネット裾の余剰部に乗っても滑って転倒しにくく、（２）施設の一角に置かれた防球ネットを使用者が踏んだり乗ったりしても滑って転倒しにくく、（３）防球ネットの端部に向けて勢いよく転がったり飛来したりするボールが隣接エリアに移動する可能性を極力低下させること、の少なくとも１つを実現することができる。
【００１０】
また、本発明の選択的な態様の１つにおいては、屋内に設置されたときに略垂直に床面まで垂れ下がるように延びる垂下部と、前記垂下部の下端から更に延びる余剰部と、により構成され、前記余剰部の網糸は、その表面がゴム材にて被覆され、且つ、当該ゴム材と一体化したゴム材が前記網糸の隙間に絡みつくように入り込んでおり、前記垂下部の網糸は、その表面が前記ゴム材にて被覆されず、且つ、内部にも前記ゴム材が入り込んでいないことを特徴とする構成としてある。当該構成によれば、人が防球ネット裾の余剰部に乗っても滑って転倒しにくくなる。
【００１１】
また、本発明の選択的な態様の１つにおいては、屋内に設置されたときに略垂直に床面まで垂れ下がるように延びる垂下部と、前記垂下部の下端から更に延びる余剰部と、により構成され、前記余剰部の網糸、及び、前記余剰部との境界から所定範囲の前記垂下部の網糸は、その表面がゴム材にて被覆され、且つ、当該ゴム材と一体化したゴム材が前記網糸の隙間に絡みつくように入り込んでおり、その他の部位の前記垂下部の網糸は、その表面が前記ゴム材にて被覆されず、且つ、内部にも前記ゴム材が入り込んでいないことを特徴とする構成としてある。当該構成によれば、防球ネットの端部に向けて勢いよく転がったり飛来したりするボールが隣接エリアに移動する可能性を極力低下させることができる。
【００１２】
また、本発明の選択的な態様の１つにおいて、前記網糸は、ポリエステル製の繊維にて形成されていることを特徴とする構成としてある。ポリエステル繊維を用いた防球ネットは、本願発明者の実験によれば、ポリエチレン繊維を用いた防球ネットに比べて、ネットに付着させたゴム材が剥がれにくい特徴を示すことが分かっている。従って、当該構成を採用することにより、踏みつけやこすれ等に対して滑り止め効果の持続性が高い防球ネットを提供することができる。
【００１３】
また、本発明の選択的な態様の１つにおいて、前記網糸は、繊維が１０００本／ｍｍ２以上の密度であることを特徴とする構成としてある。本願発明者の実験によれば、網糸の断面における繊維密度が１０００本／ｍｍ２以上になると、ネットの表面や内部に付着したゴム材が特に剥がれにくくなることが分かっている。従って、当該構成を採用することにより、踏みつけやこすれ等に対して滑り止め効果の持続性が高い防球ネットを提供することができる。
【００１４】
また、本発明の選択的な態様の１つにおいて、前記網糸は、当該網糸に垂直方向に加圧すると、その断面の縦が横よりも３０％以上長い形状に弾性的に変形可能であることを特徴とする構成としてある。すなわち、ゴム材の変形に追随して柔軟に網糸が変形すれば、ゴム材と網糸との界面に加わる力が減殺され、ネットの表面や内部に付着したゴム材が網糸の繊維から乖離しにくく、網糸の繊維がゴム材に加える応力も小さくなる。これにより、ゴム材が網糸から剥がれ落ちにくくなる。
【００１５】
また、本発明の選択的な態様の１つにおいて、前記網糸は、前記ゴム材の弾性変形速度以上に高速に屈曲変形可能であることを特徴とすることを特徴とする構成としてある。すなわち、ゴム材の変形に追随して網糸が即座に変形すれば、ゴム材と網糸との界面に加わる力が減殺され、ネットの表面や内部に付着したゴム材が網糸の繊維から乖離しにくく、網糸の繊維がゴム材に加える応力も小さくなる。これにより、ゴム材が網糸から剥がれ落ちにくくなる。
【００１６】
また、本発明の選択的な態様の１つにおいて、前記網糸は、１０００デニール／１８本／４０ｍｍよりも細いポリエステル製の繊維で形成されていることを特徴とする構成としてある。本願発明者の実験によれば、１０００デニール／１８本／４０ｍｍよりも細いポリエステル製の繊維で形成された網糸は、ゴム材の剥がれ落ちが起こりにくく、滑り止め効果の持続性が非常に高い良好な特性を示した。
【００１７】
また、本発明の選択的な態様の１つにおいては、無結節ネットであることを特徴とする構成としてある。当該構成によれば、結節部分を使用者が踏んだときに、有結節ネットの場合に比べてネットと網糸と床面との接触面積が多くなるため、滑り止め効果が向上する。
【００１８】
また、本発明の他の態様の１つは、屋内で使用される吊り下げ式の防球ネットの製造方法であって、その網糸に液体ゴムを含浸・被覆させる工程と、前記液体ゴムを含浸された網糸を乾燥させる工程と、を含んで構成される製造方法としてある。当該構成によれば、液体ゴムを用いて、上述した防球ネットを容易且つ低コストで作成することができる。
【００１９】
また、本発明の他の態様の１つは、屋内で使用される吊り下げ式の防球ネットの加工方法であって、屋内に設置済みの前記防球ネットの下部を部分的に切り取る工程と、液体ゴムを含浸・被覆させた網糸で形成されたネットを前記防球ネットの下部に継ぎ足す工程と、を含んで構成されることを特徴とする製造方法としてある。当該構成によれば、既に屋内スポーツ施設に設置済みの防球ネットについても、上述した防球ネットに容易且つ低コストで加工することができる。
【発明の効果】
【００２０】
以上説明したように本発明によれば、（１）人が防球ネット裾の余剰部に乗っても滑って転倒しにくく、（２）施設の一角に置かれた防球ネットを使用者が踏んだり乗ったりしても滑って転倒しにくく、（３）防球ネットの端部に向けて勢いよく転がったり飛来したりするボールが隣接エリアに移動する可能性を極力低下させること、の少なくとも１つを実現することができる。
【図面の簡単な説明】
【００２１】
【図１】本実施形態に係る防球ネットの使用状態の一例を示す斜視図である。
【図２】繊維との絡まり具合を対比して示した断面図である。
【図３】防球ネットの製造方法を説明する工程図である。
【図４】防球ネットの切断位置を説明する図である。
【図５】防球ネットの製造方法の一例を説明する工程図である。
【図６】防球ネットの各製造工程を説明する図である。
【図７】防球ネットの各製造工程を説明する図である。
【図８】縢り付け方法の一例を説明する図である。
【発明を実施するための形態】
【００２２】
以下、下記の順序に従って本発明の実施形態を説明する。
（１）防球ネットの構成：
（２）防球ネットの製造方法：
（３）まとめ：
【００２３】
（１）防球ネットの構成： 
図１は、防球ネットの使用状態の一例を示す斜視図である。同図に示す防球ネット１００は、体育館等の屋内スポーツ施設の屋内空間Ｒに張設されている。この防球ネット１００は、壁の間に張架されたワイヤＷに一方の縁部を固定されてワイヤＷから懸吊されている。防球ネット１００の上端には、滑車やリング等が接続されており、防球ネットは、垂れ幕のようにスライド移動可能であり、壁に寄せて九十九折り状に束ねた状態にすることができる。
【００２４】
防球ネット１００の下部は床面Ｆ等に対して固定状態や半固定状態としてもよい。反固定状態は、防球ネット１００の下部に砂袋等の重しを結びつけたり、余剰部２０に重しを載置したりすることで実現される。これにより、防球ネット１００が所定の張設位置から変位しにくくなる。
【００２５】
なお、防球ネット１００を屋内空間Ｒに張設する方法は、ワイヤＷからの懸吊に限らず公知の各種の方法を採用してもよく、例えば、レールや天井から懸吊する方法や床面Ｆに立設された支柱の間に張設する方法を採用してもよい。また、屋内スポーツ施設で、防球ネット１００の吊り下げに将来採用される様々な方法であっても採用可能であることは、言うまでも無い。
【００２６】
このように、屋内空間Ｒを防球ネット１００で区分すると、屋内空間Ｒが複数のエリアとしての第１エリアＡ１と第２エリアＡ２に区分され、第１エリアＡ１と第２エリアＡ２の間で、一定サイズ以上のボールＢ等の往来を規制することができる。すなわち、防球ネット１００の網目を通らないサイズのボールＢについて、第１エリアＡ１と第２エリアＡ２の間の往来を規制することができる。
【００２７】
次に、防球ネット１００のサイズについて説明する。図２は、防球ネットのサイズを説明するための図である。同図に示す防球ネット１００の幅については、第１エリアＡ１と第２エリアＡ２の区分態様に応じて適宜に調整されるが、防球ネット１００の上下長Ｈは、ワイヤＷから屋内空間Ｒの床面Ｆまでの距離Ｄ２よりも長くなるように形成されている（Ｈ＞Ｄ２）。
【００２８】
例えば、防球ネット１００の上下長Ｈを距離Ｄ２に比べて約１ｍ程度長くすることにより（Ｈ−Ｄ２≒１ｍ）、その下部の約１ｍが防球ネット１００の張設時に屋内空間Ｒの床面Ｆ上にだぶつくこととなる余剰部２０を構成する。このとき、余剰部２０を除く部位は、その自重にてワイヤＷから略垂直に床面Ｆまで垂れ下がるように延びる垂下部１０を構成する。この垂下部１０のネット面は、第１エリアＡ１と第２エリアＡ２とを隔てる境界面となる。
【００２９】
余剰部２０は、床面Ｆ上に堆積した状態としても良いが、図２に示すように、第１エリアＡ１と第２エリアＡ２に何れか一方に向けて床面Ｆに沿って這う様に寝かせた状態とすることが一般的である。これにより、規制対象のボールＢを用いた球技が行われている第１エリアＡ１の側から、防球ネット１００の下を通って第２エリアＡ２にボールが転がっていくことが防止される。
【００３０】
この余剰部２０のネットには、滑り止め加工がなされている。具体的には、余剰部２０を構成するネットの網糸の表面に、床面Ｆとの間で滑り止め効果を発揮するゴム材２１が膠着されている。このゴム材２１は、網糸の表面を被覆するだけでなく、網糸を構成する繊維内部にまで含浸されており、内部の繊維に絡みつくように間に入り込んでいる。これにより、余剰部２０を踏みつけた使用者が滑って転倒する可能性を極力防止することができる。また、ネットが床面Ｆ等と擦過したり屋内スポーツ施設の使用者が踏みつけて使用者のシューズ（もしくは足裏）と床面Ｆとの間で加圧挟持したりしても、ネットから容易に剥がれ落ちることがない。よって、滑り止め効果の持続性を向上することができる。
【００３１】
また、図３に示すように、余剰部２０に加えて、余剰部２０との境界から長さΔの所定範囲３０の垂下部１０の網糸についても、その表面がゴム材２１で被覆され、且つ、当該ゴム材２１と一体化したゴム材が網糸の隙間に絡みつくように入り込んでいてもよい。このように滑り止め加工を行うことにより、防球ネット１００の裾に向けて勢いよく転がったり飛来したりするボールが所定範囲３０に当接すると、防球ネット１００の滑り止め効果によってネットに絡め取られて勢いが殺され、隣接エリアにボールが入り込む可能性を極力低下することができる。
【００３２】
また、図４に示すように、防球ネットを取り外して屋内スポーツ施設の隅等に堆積させたときに防球ネット１００が床面Ｆと当接する箇所や、その他、防球ネット１００同士が当接しあう箇所等についても、ゴム材２１で被覆しつつ内部にもゴム材を入り込ませておけば、この防球ネット１００に乗ったり踏んだりした使用者が滑って転倒する可能性を極力防止できる。
【００３３】
このような防球ネットの網糸は、次のような特徴の少なくとも１つを有することが望ましい。
１つ目の特徴は、その網糸を構成する繊維が約１０００本／ｍｍ２以上の密度である。本願発明者の実験によれば、網糸の断面における繊維密度が約１０００本／ｍｍ２以上になると、ネットの表面や内部に付着したゴム材が特に剥がれにくくなった。すなわち、網糸を構成する繊維が約１０００本／ｍｍ２以上の密度とすることにより、踏みつけやこすれ等に対して滑り止め効果の持続性が高い防球ネットを提供することができることが分かる。逆に、繊維を構成する繊維密度が所定量未満の場合は、踏みつけ等の応力が網糸に対して直接にかかるため、使用者等がスリップ等したときにかかる横方向の応力が網糸にかかると、その応力はゴム材の界面に直接にかかってしまい、網糸からゴム材２１が剥がれ落ちやすい。
【００３４】
２つ目の特徴は、その網糸に垂直方向に加圧すると、その断面の縦が横よりも３０％以上長い形状に弾性的に変形可能であることである。このような特徴を有することにより、網糸が使用者等に踏みつけられて変形したときに、網糸自体は扁平形状へ変形しつつ、その圧縮応力はゴム材の弾性変形によって吸収される。すなわち、網糸を被覆しつつ内部に入り込んだゴム材の変形に即座に追随して網糸が柔軟に変形するため、ゴム材に局所的な切断力がかかりにくくなり、網糸からゴム材が剥がれ落ちにくくなる。また、踏みつけ等の応力に対して扁平形状に変形した網糸は、踏みつけられたときに転がりにくくなるため、滑り止め効果も向上する。
【００３５】
３つ目の特徴は、その網糸は、ゴム材の弾性変形速度以上に高速に屈曲変形可能であることである。すなわち、網糸が十分な可撓性を有する。このような特徴を有することにより、ゴム材の変形に追随して網糸が即座に変形可能となる。これにより、ゴム材と網糸との界面に加わる力が減殺され、ネットの表面や内部に付着したゴム材が網糸の繊維から乖離しにくく、網糸の繊維がゴム材に加える応力も小さくなる。これにより、ゴム材２１が網糸から剥がれ落ちにくくなる。
【００３６】
以上のような特徴を有する具体的な繊維として、例えば、本願発明者の実験によれば、１０００デニール／１８本／４０ｍｍのポリエステル製の防球ネットの網糸に対して使用者の踏みつけ相当の圧縮応力をかけると、網糸は楕円率にして約０．７程度に扁平な形状に変形することが分かった。すなわち、１０００デニール／１８本／４０ｍｍのポリエステル製ネットであれば、踏みつけ等による応力がかかっても、網糸からゴム剤が剥離しにくく、本実施形態のネットに用いる網糸として好適に用いることができることが分かる。
【００３７】
逆に、例えば、本願発明者の実験によれば、４００デニール／４４本／３７．５ｍｍのポリエチレン製の防球ネットの網糸に対して使用者の踏みつけ相当の圧縮応力をかけると、網糸は楕円率にして約０．９程度しか扁平な形状に変形しないことが分かった。このため、横方向の応力がかかると、網糸からゴム材２１が剥離しやすく、本実施形態のネットに用いる網糸としては適さないことが分かる。
【００３８】
上述した３つの特徴は、網糸の充填率も関係している。すなわち、網糸の充填率が低い場合は、内部に間隙が多いためゴム材が内部にしっかりと含浸されており、表面を被覆するゴム材２１と内部に含浸されたゴム材との一体性が高まり、表面を被覆するゴム材２１が容易に剥がれ落ちることがなくなる。
【００３９】
４つ目の特徴は、網糸が無結節ネットで構成されていることである。防球ネット１００を無結節ネットで構成すると、どの部位を使用者が踏みつけても床面Ｆと網糸とが面接触するため、応力が分散され、ゴム材２１が剥がれ落ちにくくなる。逆に、防球ネット１００を有結節ネットで構成すると、結節部分を使用者が踏みつけたときに床面Ｆと網糸の接触面積が小さく、微小な部位に大きな応力が加わり、その部位のゴム材が剥がれ落ちやすくなってしまう。
【００４０】
（２）防球ネットの製造方法： 
次に、上述した防球ネット１００の製造方法について図５を参照しつつ説明する。図５は、防球ネットの製造方法の一例を説明する工程図であり、図６，７は、防球ネットの各製造工程を説明する図である。なお、図５に示す製造方法では、ゴム材２１を被覆させつつ内部にもゴム材を入り込ませた加工用ネットを別途に作成し、この加工用ネットを通常のネットの下端に接続する手法を例に取り説明しているが、防球ネット１００の製造方法はこれに限るものではなく、通常のネットの下部等に直接にゴム材２１を被覆させつつ内部にもゴム材を入り込ませる加工を行っても構わない。以下、図５に示す製造方法について具体的に説明していく。
【００４１】
まず、通常の防球ネット２００の下部を所定長さだけ切断する（Ｓ１）。図６は、この所定量を説明する図である。図６（ａ）に示すように、施工対象となる屋内スポーツ施設に実際にネットを展張したときのネットの上端から床面までの距離をｄ１とし、ネットの下端までの長さをｄ２とすると、図６（ｂ）に示すように、切断する所定量はｄ２−ｄ１−Δとなる。このΔは、下端を切断したネット本体２００’と加工用ネット３００とを接続する際の縢（かが）り代となる部位の長さを示している。
【００４２】
次に、図７（ａ）に示すように、加工用ネット３００について、幅については通常の防球ネット２００と等幅としつつ、長さについては、防球ネット１００の製造方法の全体を通して防球ネット２００が短くなる量ｄ１−ｄ２と同長となるように形成する（Ｓ２）。なお、工程Ｓ１と工程Ｓ２〜Ｓ４は、順不同に実施可能である。
【００４３】
次に、製造された加工用ネット３００を、液体ゴムに漬け込む（Ｓ３）。このときの漬け込み時間は、網糸の内部にまで十分に液体ゴムが含浸する程度の時間とする。また、液体ゴムは、加工用ネット３００の網糸の繊維隙間との兼ね合いで、加工用ネット３００の繊維内に浸透可能であって、いったん繊維内部にまで浸透した液体ゴムが、繊維から容易に流出しないことが好ましい。
【００４４】
本願の発明者は、繊維に浸透しやすく、いったん繊維に浸透した後は流出しにくい液体ゴムとして、例えば、ユタカメイク（登録商標）の液体ゴムＢＥ−１を用いて好適な結果を得た。液体ゴムＢＥ−１は水性クリアタイプの液体ゴムであり、その組成は、アクリル樹脂４０〜５０％、消泡剤３％、界面活性剤５０％、水４０〜５０％である。そして、上述した１０００ｄ／１８本／４０ｍｍのポリエステル製のネットについては、液体ゴムＢＥ−１に約１分間の漬け込んだときに、繊維の内部まで液体ゴムを十分に含浸させることができた。
【００４５】
次に、ネットに付着させた液体ゴムを乾燥させる（Ｓ４）。上述した１０００デニール／１８本／４０ｍｍのポリエステル製のネットを液体ゴムＢＥ−１を含浸させた場合、約１２時間以上、常温にて空気中に放置させたところ、液体ゴムが乾燥して、ゴム材が網糸を被覆しつつ繊維に絡みついた状態で固化した。
【００４６】
次に、図７（ｂ）に示すように、液体ゴムを付着させた加工用ネット３００を、下端を切断したネット本体２００’の下端に、縢り糸４００を用いて、縢（かが）り付ける（Ｓ５）。このとき、下部を切断されたネット本体２００’の下端は、所定量Δに相当する部位に枠部ｆ１，ｆ２，ｆ３，・・・を有する縢り代部２１０が残っている。
【００４７】
図８は、縢り付け方法の一例を説明する図である。図８（ａ）に示すように、枠部ｆ１，ｆ２，ｆ３，・・・を形成する網糸のうち、側部の網糸を側部網糸ａ１，ａ２，ａ３，・・・とし、上部の網糸を上部網糸ｂ１，ｂ２，ｂ３，・・・とし、下部の網糸を下部網糸ｃ１，ｃ２，ｃ３，・・・とすると、ネット本体２００’に加工用ネット３００を縢（かが）り付ける場合、図８（ｂ）に示すように、上部網糸ｂ１と側部網糸ａ１をまとめて縢（かが）り付け、上部網糸ｂ２と側部網糸ａ２と下部網糸ｃ１をまとめて縢（かが）り付け、上部網糸ｂ３と側部網糸ａ３と下部網糸ｃ２をまとめて縢（かが）り糸で縢（かが）り付ける。これにより、ネット本体２００’と加工用ネット３００の間をしっかりと縢（かが）り付けることができる。
【００４８】
以上のようにして作成された防球ネット１００を施工先の屋内スポーツ施設に設置すると、垂下部は通常の防球ネット２００によって構成されつつ、防球ネット１００の下端の余剰部２０は加工用ネット３００にて構成されることとなる。これにより、余剰部２０を屋内スポーツ施設の使用者等が踏みつけた場合に滑りにくく、転倒等しにくいネットを提供することができる。また、図１に示す第２エリアＡ２の側からネットに向けてボールが転って余剰部２０の下に潜り込もうとしても、余剰部２０に付着されているゴム材２１の滑り止め効果によって、その転がり回転が抑制され、第１エリアＡ１の側にボールが抜けにくくなる。これにより、使用者が隣接エリアのボールで転倒する可能性を極力低下することができる。
【００４９】
なお、以上説明した製造方法は、屋内スポーツ施設に既設の防球ネットに対して直接に行っても良い。すなわち、既設の防球ネットの下部を部分的に切り取って、その防球ネットのサイズに合わせた加工用ネットを用意する。そして、屋内スポーツ施設に設置されている防球ネットの下部に、用意した加工用ネットをその場で継ぎ足すように縢（かが）り付ける。これにより、既設の防球ネットを工場等に回収することなく、その場で、滑り止め防止作用のある防球ネット１００を製造することができる。
【００５０】
（３）まとめ： 
以上説明した実施形態に係る防球ネット１００は、屋内で使用される吊り下げ式の防球ネット１００であって、その網糸がゴム材２１にて被覆されており、且つ、その網糸の繊維の内部にゴム材が絡みつくように入り込んでいる。従って、防球ネット１００が屋内スポーツ施設に展張されたときに床面Ｆ上に堆積もしくは床面Ｆに沿って這う様に配置される余剰部２０を、屋内スポーツ施設の使用者等が踏んだときに、当該使用者等が滑って転倒する危険性を防止することができる。
【００５１】
なお、本発明は上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【００５２】
１０…垂下部、２０…余剰部、２１…ゴム材、３０…所定範囲、１００…防球ネット、２００…防球ネット、２００’…ネット本体、２１０…縢り代部、３００…加工用ネット、４００…縢り糸、Ａ１…第１エリア、Ａ２…第２エリア、Ｂ…ボール、Ｆ…床面、Ｗ…ワイヤ、ａ１〜ａ３…側部網糸、ｂ１〜ｂ３…上部網糸、ｃ１〜ｃ３…下部網糸、ｆ１〜ｆ３…枠部
【図１】
2014068973.tif 000003
【図２】
2014068973.tif 000004
【図３】
2014068973.tif 000005
【図４】
2014068973.tif 000006
【図５】
2014068973.tif 000007
【図６】
2014068973.tif 000008
【図７】
2014068973.tif 000009
【図８】
2014068973.tif 000010
【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
屋内で使用される吊り下げ式の防球ネットであって、
その網糸の少なくとも一部は、その表面がゴム材にて被覆され、且つ、当該ゴム材と一体化したゴム材が前記網糸の隙間に絡みつくように入り込んでおり、
前記網糸は、繊維が１０００本／ｍｍ２以上の密度であることを特徴とする防球ネット。
【請求項２】
屋内に設置されたときに略垂直に床面まで垂れ下がるように延びる垂下部と、
前記垂下部の下端から更に延びる余剰部と、により構成され、
前記余剰部の網糸は、その表面がゴム材にて被覆され、且つ、当該ゴム材と一体化したゴム材が前記網糸の隙間に絡みつくように入り込んでおり、
前記垂下部の網糸は、その表面が前記ゴム材にて被覆されず、且つ、内部にも前記ゴム材が入り込んでいないことを特徴とする請求項１に記載の防球ネット。
【請求項３】
屋内に設置されたときに略垂直に床面まで垂れ下がるように延びる垂下部と、
前記垂下部の下端から更に延びる余剰部と、により構成され、
前記余剰部の網糸、及び、前記余剰部との境界から所定範囲の前記垂下部の網糸は、その表面がゴム材にて被覆され、且つ、当該ゴム材と一体化したゴム材が前記網糸の隙間に絡みつくように入り込んでおり、
その他の部位の前記垂下部の網糸は、その表面が前記ゴム材にて被覆されず、且つ、内部にも前記ゴム材が入り込んでいないことを特徴とする請求項１に記載の防球ネット。
【請求項４】
前記網糸は、ポリエステル製の繊維にて形成されていることを特徴とする請求項１〜請求項３の何れか１項に記載の防球ネット。
【請求項５】
前記網糸は、当該網糸に垂直方向に加圧すると、その断面の縦が横よりも３０％以上長い形状に弾性的に変形可能であることを特徴とする請求項１〜請求項４の何れか１項に記載の防球ネット。
【請求項６】
前記網糸は、前記ゴム材の弾性変形速度以上に高速に屈曲変形可能であることを特徴とすることを特徴とする請求項１〜請求項５の何れか１項に記載の防球ネット。
【請求項７】
前記網糸は、１０００デニール／１８本／４０ｍｍよりも細いポリエステル製の繊維で形成されていることを特徴とする請求項１〜請求項６の何れか１項に記載の防球ネット。
【請求項８】
無結節ネットであることを特徴とする請求項１〜請求項７の何れか１項に記載の防球ネット。
【請求項９】
屋内で使用される吊り下げ式の防球ネットの製造方法であって、
その網糸に液体ゴムを含浸・被覆させる工程と、
前記液体ゴムを含浸された網糸を乾燥させる工程と、を含んで構成され、
前記網糸は、繊維が１０００本／ｍｍ２以上の密度であることを特徴とする製造方法。
【請求項１０】
屋内で使用される吊り下げ式の防球ネットの製造方法であって、
屋内に既設の前記防球ネットの下部を部分的に切り取る工程と、
液体ゴムを含浸・被覆させた網糸で形成されたネットを前記防球ネットの下部に継ぎ足す工程と、を含んで構成され、
前記網糸は、繊維が１０００本／ｍｍ２以上の密度であることを特徴とする製造方法。